(57)【要約】クロールスペースの密閉性および断熱性を実現しながら、密閉および断熱システムと地面との間に入り込んだ気体を排出することが可能なクロールスペースの包囲システムである。本クロールスペースの包囲システムは、断熱性の根太間詰め物、１枚またはそれより多くの断熱パネル、および、高分子膜を含む。【選択図】図１
2013531751.tif 000002
【特許請求の範囲】
【請求項１】
断熱された基礎および下張り床構造であって、該構造は：
基礎の壁
土台の上部に固定された土台；
土台の上部に固定された端根太；
少なくとも第一の床根太、および、第一の床根太と離れて配置された第二の床根太（ここで第一の床根太および第二の床根太はいずれも、土台の上に固定されている）；および、
端根太に隣接して、土台の上に載せられた断熱性の根太間詰め物（ここで断熱性の根太間詰め物は、第一の床根太と第二の床根太との間にちょうどはまるような形状および大きさを有する）、
を含む、上記構造。
【請求項２】
前記断熱性の根太間詰め物が、ポリスチレン、ポリウレタン、ポリエチレン、ポリプロピレン、ポリイソシアヌレート、および、それらの混合物からなる群より選択される発泡ポリマーを含む、請求項１に記載の断熱された基礎および下張り床構造。
【請求項３】
前記断熱性の根太間詰め物が、発泡ポリスチレンを含む、請求項２に記載の断熱された基礎および下張り床構造。
【請求項４】
前記断熱性の根太間詰め物が、発泡ポリマー中に分散された防虫剤をさらに含む、請求項２に記載の断熱された基礎および下張り床構造。
【請求項５】
前記防虫剤が、ホウ素含有化合物を含む、請求項４に記載の断熱された基礎および下張り床構造。
【請求項６】
前記ホウ素含有化合物が、八ホウ酸二ナトリウム四水和物を含む、請求項５に記載の断熱された基礎および下張り床構造。
【請求項７】
前記断熱性の根太間詰め物が、約１０〜約３６のＲ値を有する、請求項１に記載の断熱された基礎および下張り床構造。
【請求項８】
前記断熱性の根太間詰め物が、断熱性の根太間詰め物中に形成された複数のスリットをさらに含む、請求項１に記載の断熱された基礎および下張り床構造。
【請求項９】
前記第一の床根太および第二の床根太が、実質的に互いに平行であり、さらに端根太に対して実質的に垂直である、請求項１に記載の断熱された基礎および下張り床構造。
【請求項１０】
クロールスペースの包囲システムであって、該システムは：
基礎の壁
基礎の壁の上部に固定された土台；
土台の上部に固定された端根太；
少なくとも第一の床根太、および、第一の床根太と離れて配置された第二の床根太（ここで第一の床根太および第二の床根太はいずれも、土台の上に固定されている）；および、
端根太に隣接して、土台の上に載せられた断熱性の根太間詰め物（ここで断熱性の根太間詰め物は、第一の床根太と第二の床根太との間にちょうどはまるような形状および大きさを有する）；
それぞれ第一面とそれと反対の第二面を有する複数の断熱パネル（ここでこれらの断熱パネルは、断熱パネルの第一面を基礎の壁と隣接させることにより基礎の壁の少なくとも一部に固定されている）；および、
断熱パネルの第二面に固定された高分子膜（ここで該高分子膜は断熱パネルの第二面の少なくとも一部の上に積層されており、さらに基礎の壁に隣接する地面の上にも積層される）、
を含む、上記システム。
【請求項１１】
前記少なくとも断熱パネルの一部が、基礎の壁に隣接しており、高分子膜の下の地面と流体を行き来させることが可能な少なくとも１つの通気チャンネルをさらに含む、請求項１０に記載の包囲システム。
【請求項１２】
前記断熱性の根太間詰め物および断熱パネルが、ポリスチレン、ポリウレタン、ポリエチレン、ポリプロピレン、ポリイソシアヌレート、および、それらの混合物からなる群より選択される発泡ポリマーを含む、請求項１０に記載の包囲システム。
【請求項１３】
前記断熱性の根太間詰め物および断熱パネルが、発泡ポリスチレンを含む、請求項１２に記載の包囲システム。
【請求項１４】
前記断熱性の根太間詰め物および断熱パネルが、発泡ポリマー中に分散された防虫剤をさらに含む、請求項１２に記載の包囲システム。
【請求項１５】
前記防虫剤が、ホウ素含有化合物を含む、請求項１４に記載の包囲システム。
【請求項１６】
前記ホウ素含有化合物が、八ホウ酸二ナトリウム四水和物を含む、請求項１５に記載の包囲システム。
【請求項１７】
前記第一の床根太および第二の床根太が、実質的に互いに平行であり、さらに端根太に対して実質的に垂直である、請求項１０に記載の包囲システム。
【請求項１８】
前記断熱性の根太間詰め物が、約１０〜約３６のＲ値を有し、前記断熱パネルが、約５〜約３０のＲ値を有する、請求項１０に記載の包囲システム。
【請求項１９】
前記少なくとも断熱パネルの一部が、断熱パネルの第一面上で互いに離れて配置される、請求項１０に記載の包囲システム。
【請求項２０】
前記少なくとも断熱パネルの一部が、約１〜約２４インチの幅を有し、断熱パネルの第二面に取り付けた粘着テープまたは高分子フィルムで互いに固定されている、請求項１０に記載の包囲システム。
【請求項２１】
前記少なくとも断熱パネルの一部が、基礎の壁および土台へと接近できるように、前記包囲システムから取り外すことができる、請求項１０に記載の包囲システム。
【請求項２２】
前記少なくとも断熱パネルの一部が、蝶番で連結された部分を含み、それにより断熱パネルが開いて基礎の壁および土台へと接近できるようになる、請求項１０に記載の包囲システム。
【請求項２３】
前記断熱性の根太間詰め物が、基礎の壁および土台へと接近できるように、前記包囲システムから取り外すことができる、請求項１０に記載の包囲システム。
【発明の詳細な説明】
【技術分野】
【０００１】
関連出願の相互参照
[001]本願は、２０１０年６月１１日付けで出願された米国仮出願第６１／３５３，６８１号の先の出願日に基づく優先権を主張する。
【０００２】
分野
[002]本発明の開示は、断熱された基礎および下張り床構造に関する。より具体的には、本開示は、改善された断熱性と通気構造を有する断熱構造に関する。
【背景技術】
【０００３】
[003]家が基礎上に構築されるために床下にクロールスペースが造られた家が多く建築されている。クロールスペースは一般的に穴が多く、水分に対して十分な密閉性がなく、また、熱の放散や蓄積を防ぐために断熱してある。水分がクロールスペースに入ると、クロールスペース上の床根太やその他の様々な床張り材構造を形成する木材に水が浸入する。このような水分によって大量のかびの胞子が発生して、昆虫が成育しやすい環境が形成される可能性がある。さらなる問題は、クロールスペース中にシロアリなどの昆虫が巣を作らないようにすることに関する。その他の問題は、水分および熱の放散や蓄積を防ぐと同時にラドンのような気体が換気されるようにすることに関する。適度な密閉性と断熱性を有するシステムを提供しようとする様々な試みがなされているが、さらなる改善が求められている。
【発明の概要】
【発明が解決しようとする課題】
【０００４】
[004]従って、本発明の開示は、水分に対する密閉性、熱の放散や蓄積を防ぐための断熱性、昆虫の忌避、および、クロールスペース中の通気の確保を提供する包囲システム（encapsulation system）に関する。
【課題を解決するための手段】
【０００５】
[005]第一の形態において、本発明の開示は、断熱された基礎および下張り床構造（subflooring structure）を提供し、本構造は、基礎の壁、基礎の壁の上に固定された土台（sill plate）、土台の上に固定された端根太（header joist）、互いに離れて配置された第一の床根太（floor joist）および第二の床根太（ここで床根太は土台の上に固定される）、および、床根太間に押し込んでちょうどはまるようにすることができ、土台の上に固定されている断熱性の根太間詰め物（joist plug）を含む。
【０００６】
[006]一実施態様において、断熱された基礎および下張り床構造は、ポリスチレン、ポリウレタン、ポリエチレン、ポリプロピレン、ポリイソシアヌレート、および、それらの混合物からなる群より選択される発泡ポリマーで作製された断熱性の根太間詰め物を含む。このような断熱された基礎のある種の実施態様において、断熱性の根太間詰め物は、発泡ポリスチレンで作製される。
【０００７】
[007]このような断熱された基礎および下張り床構造のある種の実施態様において、断熱性の根太間詰め物は、発泡ポリマー中に防虫剤が分散された発泡体ポリマーで作製される。さらに本発明の開示に係るいくつかの実施態様において、断熱性の根太間詰め物は、発泡ポリマー中にホウ素含有化合物を含む防虫剤が分散された発泡ポリマーで作製される。上記断熱された基礎の一実施態様において、ホウ素含有化合物は、八ホウ酸二ナトリウム四水和物である。
【０００８】
[008]このような基礎および下張り床構造のある種の実施態様において、断熱性の根太間詰め物は、約１０〜約３６のＲ値を有する。さらに、場合によっては、断熱性の根太間詰め物は、１またはそれより多くのスリットを含む。また上記断熱された基礎および下張り床構造は、２つの床根太からなっていてもよく、ここでこれらの２つの床根太は実質的に互いに平行であり、端根太に対して垂直である。
【０００９】
[009]第二の形態において、本発明の開示は、基礎の壁、基礎の壁の上に固定された土台、土台の上に固定された端根太、互いに離れて配置された第一の床根太および第二の床根太（ここで床根太は土台の上に固定される）、床根太間に押し込んでちょうどはまるような形状の断熱性の根太間詰め物、基礎の壁の一部に固定された１枚またはそれより多くの断熱パネル、および、断熱パネルの一部とオーバーラップしており基礎の壁に隣接する地面を覆う高分子膜を含む、クロールスペースの包囲システムを提供する。高分子膜は、好ましくは、防水性であるか、および／または、水分および／またはその他の気化物質に対して耐性を有する。
【００１０】
[0010]一実施態様において、本包囲システムは、高分子膜の下のスペースと連結された１本またはそれより多くの通気チャンネルで構成される部分を有する断熱パネルを含む。
【００１１】
[0011]本包囲システムのある種の実施態様において、断熱性の根太間詰め物および断熱パネルは、ポリスチレン、ポリウレタン、ポリエチレン、ポリプロピレン、ポリイソシアヌレート、および、それらの混合物からなる群より選択される発泡ポリマーで作製される。具体的な実施態様において、断熱性の根太間詰め物および断熱パネルは、発泡ポリスチレンで作製される。
【００１２】
[0012]ある種の実施態様において、本包囲システムは、発泡ポリマー中に防虫剤が分散された発泡体ポリマーで作製された断熱性の根太間詰め物および断熱パネルを含む。一実施態様において、このような断熱性の根太間詰め物および断熱パネルは、発泡ポリマー中にホウ素含有化合物を含む防虫剤が分散された発泡ポリマーで作製される。具体的な実施態様において、ホウ素含有化合物としては、八ホウ酸二ナトリウム四水和物が挙げられる。
【００１３】
[0013]ある種の実施態様において、床根太は、実質的に互いに平行であり、さらに端根太に対して実質的に垂直である。
【００１４】
[0014]本包囲システムは、好ましくは、約１０〜約３６のＲ値を有する断熱性の根太間詰め物、および、約５〜約３０のＲ値を有する断熱パネルを含む。本包囲システムはまた、断熱パネルの少なくとも一部が、断熱パネルの片側において互いに離れて配置されるように設計されることが好ましい。好ましくは、断熱パネルは、約１〜約２４インチの幅を有しており、粘着テープまたは高分子フィルムで互いに固定されている。
【００１５】
[0015]本包囲システムのある種の実施態様において断熱パネルの一部は、基礎の壁および土台へと接近できるように、取り外すことができる。具体的な一実施態様において、断熱パネルの一部が蝶番を含んでおり、そうすることにより、基礎の壁および土台へと接近できるようにその部分を開くことができる。一実施態様において、本包囲システムから断熱性の根太間詰め物を取り外すこともでき、そうすることにより、基礎の壁および土台へと接近することが可能になる。
【００１６】
[0016]本開示のさらなる利点は詳細な説明を図面と共に考察すれば明かであり、ここでこれらの図面は、詳細をより明確に示すために正確な縮尺ではなく、数々の図面にわたり類似した参照番号は類似した要素を示す。
【図面の簡単な説明】
【００１７】
【図１】図１は、本開示の一実施態様に係る断熱性の根太間詰め物の斜視図である。
【図２】図２は、図１に記載の断熱性の根太間詰め物の平面図である。
【図３】図３は、本開示の一実施態様に係る包囲システムの側面図である。
【図４】図４は、本開示の一実施態様に係る基礎の壁に隣接する通気チャンネルを有する断熱パネルの平面図である。
【図５】図５は、本開示の一実施態様に係る通気チャンネルを形成するためにそれぞれ様々な厚さを有するパネルを有する断熱パネルのその他の実施態様の平面図である。
【図６】図６は、本開示の一実施態様に係る基礎の壁および土台へと接近できるようにパネルの蝶番で連結された部分を示す、図４に示す断熱パネルの側面図である。
【発明を実施するための形態】
【００１８】
[0023]図面を参照して、本開示は、１枚またはそれより多くの断熱パネル１４の上に取り付けられた１個またはそれより多くの断熱性の根太間詰め物１２、および、クロールスペースの床に取り付けられた地面用高分子膜１６を有するクロールスペースの包囲システム１０に関する。
【００１９】
[0024]例えば図３で示されるような典型的な基礎および下張り床システムにおいて、床１１４は土台１０４の上に載せられており、同様に土台１０４に載せられた端根太１０２に固定された１本またはそれより多くの床根太１００によって支えられている。土台１０４は、基礎の壁１０６の上に取り付けられている。基礎の壁１０６は、土台１０４と床根太１００とを支えており、地面１１０に取り付けられている。基礎の壁１０６は、クロールスペースの内部と外部との間に換気ダクト１１２を含んでいてもよい。シロアリの侵入に対する耐性を付与するために、床根太１００、端根太１０２、土台１０４および基礎の壁１０６のいずれかまたは全てが化学的に処理されていてもよい。例えば、これらの部材の外面に、ホウ素含有化合物（例えば八ホウ酸二ナトリウム四水和物）、および、グリコール、および／または、グリセリンを含む組成物が塗布されていてもよい。
【００２０】
[0025]図２を参照すれば、断熱性の根太間詰め物１２は、床根太１００ａと１００ｂとの間に押し込んでちょうどはまるように設計されることが望ましい。断熱性の根太間詰め物１２は、例えばポリスチレン、ポリウレタン、ポリエチレン、ポリプロピレン、ポリイソシアヌレートおよび類似の材料などの発泡ポリマーで構築される。より好ましくは、発泡ポリマーは、発泡ポリスチレンである。また当然のことながら、断熱性の根太間詰め物１２は、発泡ポリマーの個々の空間または粒の隙間に防虫剤が分散された発泡ポリマーで構築されていてもよい。例えばデルタメトリンまたはイミダクロプリドなどの有機性の防虫剤が発泡ポリマー中に包含されていてもよい。より好ましくは、防虫剤は、ホウ素含有化合物であってもよく、例えば八ホウ酸二ナトリウム四水和物である。その他の適切なホウ素含有防虫剤化合物としては、ホウ酸、ホウ酸ナトリウム（例えばホウ砂、および、五ホウ酸ナトリウム）、ホウ酸カルシウム、ナトリウムホウ酸カルシウム、および、それらの混合物が挙げられる。例えばシロアリなどのある種の昆虫は未処理の発泡ポリマーを餌としてそれらにダメージを与えたり、または、木材を食べたりする可能性がある。断熱性の根太間詰め物中にこのような防虫剤を包含させることによって、シロアリの襲撃やダメージに対する耐性を有する根太嵌め込み部材が提供される。
【００２１】
[0026]断熱性の根太間詰め物は、好ましくは、床根太に平行に配置された複数のスリット１４を含む。スリット１４は、断熱性の根太間詰め物１２の圧縮を可能にし、それにより床根太１００ａと床根太１００ｂとの間に断熱性の根太間詰め物１２がちょうどはまるようにすることができる。断熱性の根太間詰め物１２が圧縮能を有することから、断熱性の根太間詰め物１２の幅Ｗ（図１）は、断熱性の根太間詰め物１２が安定して取り付けられるように、床根太Ｄ間の距離に等しいかまたはそれよりもわずかに大きくてもよい。典型的な現代の組み立て法では、床根太は、一般的に中心から中心への距離が約１６インチになるように離れて配置される。床根太が太くなることを考慮すれば、断熱性の根太間詰め物の幅Ｗは、一般的には約１４インチ〜約１５インチになると予想される。
【００２２】
[0027]断熱性の根太間詰め物１２は、好ましくは、土台１０４の上に載せられ、端根太１０２の隣に配置されるように設計される。断熱性の根太間詰め物は、一般的に、約２と１／２インチ〜約１０インチの厚さを有し、約１０〜約３６の断熱Ｒ値を提供する。
【００２３】
[0028]また本包囲システム１０は、複数の断熱パネル１４も含む。断熱パネル１４は断熱性の根太間詰め物１２と同じ高分子材料で形成されていてもよく、パネル１４の厚さおよびその他の寸法は、根太嵌め込み部材１２の寸法とは異なっていてもよい。例えば断熱パネル１４は、例えばポリスチレン、ポリウレタン、ポリエチレン、ポリプロピレン、ポリイソシアヌレートおよび類似の材料などの発泡体ポリマーで構築されていてもよい。より好ましくは、発泡ポリマーは、発泡ポリスチレンである。また断熱パネル１４は、断熱性の根太間詰め物１２の場合と同様に防虫剤を含んでいてもよい。好ましい防虫剤としては、例えば八ホウ酸二ナトリウム四水和物などのホウ素ベースの化合物が挙げられる。断熱パネルは、一般的に、約５〜約３０の断熱Ｒ値を提供する。
【００２４】
[0029]図４に示される一実施態様において、断熱パネル１４は、長方形の断熱パネル４００と、１枚またはそれより多くの通気式の断熱パネル４０２とがそれぞれ交互に隣接して配置されるように設計されていてもよい。通気式の断熱パネル４０２は通気孔チャンネル４０４を含み、好ましくはこのような通気孔チャンネル４０４は、通気孔チャンネルの開いた側が基礎の壁１０６に直接隣接しているように配置される。また好ましくは、通気孔４０４は、床根太１００付近で断熱パネル４０２の垂直の長さ方向を横切るように断熱パネル４０２の底部から断熱パネル４０２の上まで配置され、さらに、通気孔４０４は、基礎の壁１０６の換気ダクト１１２と接触するように配置される。断熱パネル１４は、個々に設置するように設計されていてもよいし、または、断熱パネル１４の一方の側に取り付けた粘着テープまたは高分子フィルムで断熱パネル１４が互いに貼り合わせられるように設計されていてもよい。断熱パネル１４を粘着テープまたは高分子フィルムで互いに貼り合わせることにより、断熱パネル１４を折り重ねてそれらを取り付けのためのクロールスペースに置けるようになる。
【００２５】
[0030]図５に示されるその代わりの実施態様において、断熱パネル１４はまた、交互に配置されたパネル５０２が隣接する断熱パネル５０４と異なる厚さを有するように設計されていてもよい。断熱パネル５０４の厚さが隣接するパネル５０２よりも薄いため、基礎の壁１０６に直接的に接する通気孔チャンネル５０６が形成される。
【００２６】
[0031]図６を参照すれば、断熱パネル１４は、断熱パネル１４の上に配置された取り外し可能なパネル６０２を含んでいてもよい。取り外し可能なパネル６０２は、好ましくは、基礎の壁１０６および土台１０４へと接近できるように設計される。取り外し可能なパネル６０２は、断熱パネル６０４の下側部分に載せられることが好ましく、これは、基礎の壁１０６の検査および修復の際に全て取り外せるように設計されていてもよい。検査および修復が完了したら、再び取り外し可能なパネル６０２を取り付けることもできる。また当然のことながら、取り外し可能なパネル６０２を粘着テープ、高分子フィルム６０６または類似手段を用いて断熱パネル６０４の下側部分に取り付け、取り外し可能なパネル６０２と断熱パネル６０４の下側部分とが蝶番式に動くようにしてもよい。
【００２７】
[0032]特に好ましい実施態様において、断熱パネル１４は、約８フィートの幅および約４フィートの高さを有するパネルとして提供されてもよい。パネル１４の両方の表面は、例えばポリエチレンフィルムなどのポリマーフィルムが積層されていることが好ましい。しかしながら、それらを積層させる前、パネル１４に、幅方向に約１フィート間隔で印を付けることが好ましい。続いてパネル１４は、特定のクロールスペースの設置に適したサイズになるように、印のラインのどれかに沿って簡単に切断してパネルの一部を除去することが可能である。あるいは、積層されたフィルムは無傷のままにしてパネルだけを印のラインのいずれかに沿って切断し、蝶番にすることも可能である。またこの方法で、パネル１４の一部を印のラインのいずれかに沿って一時的に折り畳むことにより、パネルの後に隠れた基礎の検査を容易にすることも可能である。
【００２８】
[0033]図３を参照すれば、好ましくは、基礎の壁１０６が接するクロールスペースの面上に高分子膜１０８を設置してもよい。
高分子膜１０８をクロールスペースに面する第二面上で断熱パネル１４に固定することにより、高分子膜１０８が断熱パネル１４の少なくとも一部とオーバーラップして実質的に気体を通さない密閉状態を形成することができる。このようなオーバーラップと断熱パネル１４を覆う高分子膜１０８によって密閉状態になるために、水分またはその他の気体が地面を通ってクロールスペースに入らないようになると予想される。
【００２９】
[0034]高分子膜は、好ましくは例えばポリエチレンまたはポリプロピレンなどのポリマーで構成され、一般的には約１〜約５ミルの厚さを有する。高分子膜は、例えば水蒸気およびラドンなどの望ましくない蒸気に対するバリアとして作用する。場合によっては、高分子膜はさらに防水性であってもよい。
【００３０】
[0035]クロールスペースの包囲システムは、クロールスペースと地面との間で防水性のバリアを形成する。地面から気体（例えばラドンガス）および水分が発生した場合、このような気体および水分は、高分子膜１０８と地面１１０との間のスペースに入り込む可能性がある。高分子膜１０８は、水分および気体がクロールスペースに入らないようにし、気体および水分を断熱パネル１４に移動させて通気孔チャンネル４０４に入るようにする。続いて水分および気体は通気孔チャンネルを通って基礎の壁１０６中の換気ダクト１１２に移動し、そこで外に排出される。
【００３１】
[0036]本発明の開示によれば、断熱性の根太間詰め物は、好ましくは、約１０〜約３６のＲ値を有する。断熱パネルは、好ましくは約５〜約３０のＲ値を有し、より好ましくは約１０〜約１５を有する。
【００３２】
[0037]前述のこの開示に関する好ましい実施態様の説明を図解および説明のために示した。しかしながらこれらの図解および説明は、全てを網羅したものでもないし、本開示を開示された正確な形態に限定するものでもない。上記の教示の観点で明白な改変またはバリエーションも可能である。これらの実施態様は、本開示の原理およびその実際の適用の最良の説明を提供する目的で選択され説明されたものであり、それによって当業者は、様々な実施態様で検討された具体的な用途に適するように様々な改変を行って本開示を利用することが可能である。
【図１】
2013531751.tif 000003
【図２】
2013531751.tif 000004
【図３】
2013531751.tif 000005
【図４】
2013531751.tif 000006
【図５】
2013531751.tif 000007
【図６】
2013531751.tif 000008
【国際調査報告】
2013531751.tif 000009
2013531751.tif 000010
2013531751.tif 000011